(57)【要約】      （修正有）【課題】視覚的楽しみと賞玩の喜びを拡大した心回転瓶構造を提供する。【解決手段】回転可能な内瓶を備える心回転瓶構造で、該心回転瓶は外瓶と内瓶を備える。該内瓶は該外瓶内部に設置し、しかも該外瓶から該内瓶の形態を見ることができ、さらに該内瓶は該外瓶に相対し回転動する。上記した設計により、使用者は外部から該内瓶の回転を直接作動させることができ、全体的な視覚効果を向上させ、観賞者の視覚的楽しみと賞玩の喜びを拡大することができる。【選択図】図１
0003145968.tif 000002
【実用新案登録請求の範囲】
【請求項１】
外瓶、瓶台、内瓶を含み、
前記外瓶は内部に中空の収容設置空間を形成し、該外瓶周縁には該収容設置空間を貫通する一個或いは多数の貫通ウィンドウを形成し、しかも外瓶底部には該収容設置空間を貫通する底端開口を形成し、また該外瓶は収容設置空間上段において比較的小径の頚縮部を形成し、
前記瓶台は該外瓶の底端開口に設置し、該瓶台頂点面には該底端開口を封鎖する嵌設部を突出し、また該瓶台頂点面中央には該内瓶を可動設置する軸台を形成し、
前記内瓶の内部には中空の収容設置空間を形成し、該内瓶は比較的大径で該外瓶の底端開口を通過することができ、これにより該内瓶は該外瓶の収容設置空間に収容設置され、また該内瓶は該外瓶頂点端開口に穿出する頚部本体を備え、しかも該瓶本体は該外瓶の頚縮部に相対しサポート関係を生じることができ、しかも該内瓶の回転動を制限せず、また該内瓶底端には該瓶台軸台に相対する接軸部を備え、さらに該内瓶外縁表面には各式の彩色画或いは彫塑の方式によりレリーフを形成し、
これにより該内瓶は該瓶台を通して、該外瓶に相対し選択的に回転動が可能で、回転動に便利で、しかも観賞性が高い心回転瓶構造を構成することを特徴とする心回転瓶構造。
【請求項２】
請求項１記載の心回転瓶構造において、前記外瓶は玉石、陶磁、ガラス、クリスタルガラス、石材、金属、プラスチック、木材、竹藤材、或いは人造石等から選択することを特徴とする心回転瓶構造。
【請求項３】
請求項１記載の心回転瓶構造において、前記内瓶は玉石、陶磁、ガラス、クリスタルガラス、石材、金属、プラスチック、木材、竹藤材、或いは人造石等から選択することを特徴とする心回転瓶構造。
【請求項４】
請求項１記載の心回転瓶構造において、前記瓶台の軸台内には前記内瓶軸接部に対応するベアリング型軸動部品を設置し、これにより回転動のスムーズ性を向上させることを特徴とする心回転瓶構造。
【請求項５】
請求項１記載の心回転瓶構造において、前記瓶台の軸台内には前記内瓶軸接部に対応する駆動型軸動部品を設置し、これにより前記内瓶は自動的に回転することを特徴とする心回転瓶構造。
【請求項６】
請求項１或いは請求項４或いは請求項５記載の心回転瓶構造において、前記内瓶の軸接部は前記瓶台軸台に対応する突出上凸軸或いは陥没上軸孔であることを特徴とする心回転瓶構造。
【考案の詳細な説明】
【技術分野】
【０００１】
本考案は観賞瓶体に関し、特に内外の視覚変化を生じ、これにより視覚的楽しみと賞玩の喜びを拡大することができる心回転瓶構造に関するものである。
【背景技術】
【０００２】
花瓶、花器等は、それが使用する材質と表面の彫塑或いは彩色画、図柄の違いにより、特殊な美しさを表現し、装飾、花器、賞玩等用の装飾品とすることができる。しかも長期間の収蔵後には、収蔵の独特な歴史と美しさにより、高価値を生むこともあり、さらには子々孫々に受け継ぐべき家宝となる場合さえある。
【０００３】
一方、従来の花瓶、花器は主に単一の材料により製造する。よってその可変性は大きくなく、その全体的な美感を効果的に向上させることはできない。
さらに、一般の花瓶、花器表面の彩色画或いは彫塑等の図柄は、外縁全体を完全に覆っているにもかかわらず、花瓶、花器を割ってしまうのを防ぐため、賞玩、観賞時に、通常はそれを静止させている。しかし、これでは図案全体を見ることはできない。
つまり、花瓶、花器表面の図柄を観賞者が選択的に回転させることができれば、観賞者は図案、模様全体を完全に見ることができ、しかも視覚変化を生じる。これにより観賞の利便性と安全性を向上させ、ひいてはその価値観を増進することもできる。
【考案の開示】
【考案が解決しようとする課題】
【０００４】
観賞者が選択的に瓶体上の模様、図案を移動させることができ、視覚的楽しみと賞玩の喜びを拡大することができる心回転瓶構造を提供することである。
【課題を解決するための手段】
【０００５】
心回転瓶構造は外瓶、瓶台、内瓶を含み、
該外瓶は内部に中空の収容設置空間を形成し、該外瓶周縁には該収容設置空間を貫通する一個或いは多数の貫通ウィンドウを形成し、しかも外瓶底部には該収容設置空間を貫通する底端開口を形成し、また該外瓶は収容設置空間上段において比較的小径の頚縮部を形成し、
該瓶台は該外瓶の底端開口に設置し、該瓶台頂点面には該底端開口を封鎖する嵌設部を突出し、また該瓶台頂点面中央には該内瓶を可動設置する軸台を形成し、
該内瓶の内部には中空の収容設置空間を形成し、該内瓶は比較的大径で該外瓶の底端開口を通過することができ、これにより該内瓶は該外瓶の収容設置空間に収容設置され、また該内瓶は該外瓶頂点端開口に穿出する頚部本体を備え、しかも該瓶本体は該外瓶の頚縮部に相対しサポート関係を生じることができ、しかも該内瓶の回転動を制限せず、また該内瓶底端には該瓶台軸台に相対する接軸部を備え、さらに該内瓶外縁表面には各式の彩色画或いは彫塑の方式によりレリーフを形成する。
【考案の効果】
【０００６】
本考案心回転瓶の内瓶は外瓶に相対し選択的に回転動可能で、しかも観賞者は外瓶外部から内瓶表面の模様や図柄を観賞することができる。これにより視覚的楽しみと賞玩の喜びを拡大することができ、しかも付加価値を向上させ、その市場競争力と経済パフォーマンスを増進することができる。
【考案を実施するための最良の形態】
【０００７】
図１は各主要構成部材の形態と相対関係を示す本考案最適実施例の立体分解概略図、図２は本考案最適実施例の外観概略図である。
本考案の最適実施例に係る心回転瓶構造は、主に、外瓶１０、内瓶３０を含む。
該内瓶３０は該外瓶１０内部に設置可能で、しかも該外瓶１０の外部から該内瓶３０の表面を見ることができる。
本考案心回転瓶構造の最適実施例に関して図１、２、３に示すように、該外瓶１０の内部には中空の収容設置空間１５を形成し、しかも該外瓶１０は玉石、陶磁、ガラス、クリスタルガラス、石材、金属、プラスチック、木材、竹藤材、或いは人造石等の透明材料或いは非透明材料を選択し製造することができる。
また該外瓶１０周縁には上記した収容設置空間１５を貫通する一個或いは多数の貫通ウィンドウ１１を形成し、しかも該貫通ウィンドウ１１はハート型、六角形(図６参照)等の各種造形とすることができる。
さらに該外瓶１０底部には該収容設置空間１５を貫通する底端開口１６を形成する。該底端開口１６は該内瓶３０の最大径を通過させることができる。
また該外瓶１０は該収容設置空間１５上段に比較的小径の頚縮部１７を形成する。該頚縮部１７は上記した内瓶３０を支えることができる。
【０００８】
該外瓶１０の収容設置空間１５の底端開口１６には瓶台２０を設置する。該瓶台２０頂点面には、上記した底端開口１６に対応する嵌設部２１を突出し、これにより該外瓶１０の底端開口１６を封鎖する。また該瓶台２０頂点面中央には、該内瓶３０を可動設置する軸台２２を形成する。該軸台２２内には軸動部品２３を設置する。該軸動部品２３は回転動のスムーズ性を向上させるベアリングとすることができ、該軸動部品２３はまた、該内瓶３０を作動させる駆動部品とすることもでき、これにより該内瓶３０は自動的に回転する。
【０００９】
さらに該内瓶３０は上記した外瓶１０収容設置空間１５頂点端開口を上方へと穿出する頚部本体３１を備える。しかも該頚部本体３１の外径は該外瓶１０収容設置空間１５の頚縮部１７内径に相対し、サポート関係を生じ、しかも、該内瓶３０の回転動を制限しない。また該内瓶３０底端には接軸部３２を備える。該接軸部３２は突出状の凸軸或いは陥没状の軸孔で、これにより該内瓶３０は該接軸部３２を通して、上記した瓶台２０の軸台２２上に可動設置される。さらに、該内瓶３０外縁表面には各式の彩色画或いは彫塑の方式により形成するレリーフ３３を備える。しかも該内瓶３０内部には開口が上方に向かう収容設置空間３５を形成する。該収容設置空間３５は花を生ける、或いは他の物品を挿入するために用いることができる。しかも該内瓶３０は玉石、陶磁、ガラス、クリスタルガラス、石材、金属、プラスチック、木材、竹藤材、或いは人造石等の透明材料或いは非透明材料を選択し製造することができる。
【００１０】
これにより該内瓶３０は該瓶台２０を通して、該外瓶１０に相対し選択的に回転動が可能で、回転動に便利で、しかも観賞性が高い心回転瓶構造を構成する。
【００１１】
本考案該実施例の実際の運用については、図３、４、５に示すように、観賞者は手動方式、或いは該瓶台２０上の駆動型軸動部品２３の主動方式により、該内瓶３０の回転を作動する。こうして該内瓶３０は該外瓶１０に相対し回転動し、観賞者は該外瓶１０の貫通ウィンドウ１１より様々な該内瓶３０のレリーフ３３A、３３Bを見ることができる。こうして賞玩、観賞に便利な効果を達成することができる。さらに、該外瓶１０と該内瓶３０を異なる材質で製造する特殊性により、心回転瓶全体は従来とはことなる視覚効果を生み出し、視覚の楽しみと賞玩の喜びを増進することができる。
【００１２】
本考案の第二実施例に係る心回転瓶構造は、図６に示すように、該外瓶１０の貫通ウィンドウ１１Aを六角形とすることができ、その可変性を増進する。
さらに図７本考案の第三実施例に係る心回転瓶構造は、図７に示すように、該外瓶１０は透明のガラス、クリスタルガラス、プラスチック等により製造し、該外瓶１０外部から、該内瓶３０表面の図柄を直接見ることができ、上記した利点と実用の価値を同様に備える。
【図面の簡単な説明】
【００１３】
【図１】各主要構成部材の形態と相対関係を示す本考案最適実施例の立体分解概略図である。
【図２】本考案最適実施例の外観概略図である。
【図３】本考案最適実施例の縦方向断面概略図である。
【図４】本考案最適実施例の動作前概略図である。
【図５】本考案最適実施例の動作後概略図である。
【図６】本考案第二実施例の外観概略図である。
【図７】本考案第三実施例の外観概略図である。
【符号の説明】
【００１４】
１０  外瓶
１１  貫通ウィンドウ
１５  収容設置空間
１６  底端開口
１７  頚縮部
２０  瓶台
２１  嵌設部
２２  軸台
２３  軸動部品
３０  内瓶
３１  頚部本体
３２  接軸部
３３  レリーフ
３５  収容設置空間
【図１】
0003145968.tif 000003
【図２】
0003145968.tif 000004
【図３】
0003145968.tif 000005
【図４】
0003145968.tif 000006
【図５】
0003145968.tif 000007
【図６】
0003145968.tif 000008
【図７】
0003145968.tif 000009